(57)【要約】【課題】装置の使用中に照明光源が切れた場合、検者や被検者に負担を掛けずに容易に新しい照明光源に取りかえることができ、また、光源の断線を検知できる眼科装置を提供すること。【解決手段】被検眼の検査や観察のための照明光を発する光源が備えられた照明部を持つ眼科装置において、前記光源を着脱自在に保持するソケット及び該ソケットに電気的に接続された第１コネクタが取り付けられたランプユニットであって、前記照明部の筐体に対して脱着可能なランプユニットと、前記第１コネクタに着脱可能で前記光源に電力を供給するために前記照明部の筐体側に設けられた第２コネクタとを備え、前記光源の交換時にはランプユニットごと予備のランプユニットに取り換える構成とする。【選択図】      図４
2004350986.tif 000002
【特許請求の範囲】
【請求項１】
被検眼の検査や観察のための照明光を発する光源が備えられた照明部を持つ眼科装置において、前記光源を着脱自在に保持するソケット及び該ソケットに電気的に接続された第１コネクタが取り付けられたランプユニットであって、前記照明部の筐体に対して脱着可能なランプユニットと、前記第１コネクタに着脱可能で前記光源に電力を供給するために前記照明部の筐体側に設けられた第２コネクタとを備え、前記光源の交換時にはランプユニットごと予備のランプユニットに取り換える構成としたことを特徴とする眼科装置。
【請求項２】
請求項１の眼科装置において、前記照明部の筐体に対する前記ランプユニットの着脱操作時に前記第１コネクタを前記第２コネクタに導く前記筐体側に設けられたガイド部材を設け、前記第２コネクタに対する前記第１コネクタの着脱も前記ランプユニットの着脱動作によって行われる構成にしたことを特徴とする眼科装置。
【請求項３】
請求項１のランプユニットは前記照明部の外装部を兼ね、その外装部には手で保持するための取っ手部材を設けたことを特徴とする眼科装置。
【請求項４】
被検眼の検査や観察のための照明光を発する光源が備えられた眼科装置において、前記光源の点灯切れを検知する検知手段と、該検知結果を報知する報知手段と、を設けたことを特徴とする眼科装置。
【発明の詳細な説明】
【０００１】
【発明の属する技術分野】
本発明は、眼科医院等で使用される眼科装置に関する。
【０００２】
【従来技術】
スリットランプや視力検査に使用する視標呈示装置など、被検眼やチャート板に照明光束を照射することによって観察や視標の呈示を行う眼科装置が知られている。このような眼科装置に使用される照明光源は繰り返し使用している間に耐用時間が来てしまい、切れてしまうことがある。従来ではこのように照明光源が切れてしまった場合、装置内部を開け、その後新しい光源に取り換えて再び使用している。また、装置内部に予備の第２光源を設け、主光源が切れてしまった場合、予備の第２光源をスライドさせて主光源と切替え、光源を交換する装置も提案されている（特許文献１参照。）。
【０００３】
【特許文献１】
特開２００３−１３５４００号公報
【０００４】
【発明が解決しようとする課題】
しかしながら、観察中や検査中に照明光源が切れてしまうと、取り換え作業のため、観察や検査を長時間中断しなくてはならない。その結果、観察や検査に必要以上に時間が掛かることとなり、検者や被検者に負担となってしまう。特にスリットランプなど、暗室等の暗い場所にて使用することのある眼科装置の場合、光源の取り換え作業は困難である。また、切れたばかりの照明光源は高温になっていることが多く、その場で取り換える場合には取り扱いには十分注意を要することとなる。また、光源の取り換えには、狭い場所へ指を差し込まなくてはならず作業性が悪いといった問題があった。また、予備の第２光源をスライドさせて主光源と切替える装置では、装置が大型化してしまうという問題があった。
【０００５】
また、スリットランプでの患眼観察前には、実際に視度調整用の焦点ロッド等の対象物に光源からの照明光を当てて観察しないと、光源の点灯切れが分からないという問題があった。
【０００６】
本発明は、上記従来技術の問題点に鑑み、装置の使用中に照明光源が切れた場合、検者や被検者に負担を掛けずに容易に新しい照明光源に取りかえることができ、また、光源の断線を検知できる眼科装置を提供することを技術課題とする。
【０００７】
【課題を解決するための手段】
上記課題を解決するために、本発明は以下のような構成を備えることを特徴とする。
【０００８】
（１）  被検眼の検査や観察のための照明光を発する光源が備えられた照明部を持つ眼科装置において、前記光源を着脱自在に保持するソケット及び該ソケットに電気的に接続された第１コネクタが取り付けられたランプユニットであって、前記照明部の筐体に対して脱着可能なランプユニットと、前記第１コネクタに着脱可能で前記光源に電力を供給するために前記照明部の筐体側に設けられた第２コネクタとを備え、前記光源の交換時にはランプユニットごと予備のランプユニットに取り換える構成としたことを特徴とする。
【０００９】
（２）  （１）の眼科装置において、前記照明部の筐体に対する前記ランプユニットの着脱操作時に前記第１コネクタを前記第２コネクタに導く前記筐体側に設けられたガイド部材を設け、前記第２コネクタに対する前記第１コネクタの着脱も前記ランプユニットの着脱動作によって行われる構成にしたことを特徴とする。
【００１０】
（３）  （１）のランプユニットは前記照明部の外装部を兼ね、その外装部には手で保持するための取っ手部材を設けたことを特徴とする。
【００１１】
（４）  被検眼の検査や観察のための照明光を発する光源が備えられた眼科装置において、前記光源の点灯切れを検知する検知手段と、該検知結果を報知する報知手段と、を設けたことを特徴とする。
【００１２】
【発明の実施の形態】
以下、本発明の実施の形態を図面に基づいて説明する。図１は本実施形態で使用するスリットランプを側面から見た図である。図２はスリットランプの光学系を説明する図である。
【００１３】
スリットランプ本体１は下部に基台２を有している。基台２はテーブル３上に取り付けられているとともに、基台２に取り付けられている周知のジョイスティック移動機構により、テーブル３上を水平方向に移動可能となっている。ジョイスティック４を操作することにより、基台２をテーブル３の面上で粗動及び微動させることができる。テーブル３には被検者（患者）を固定するための顎載せ台、額当て等を備えるヘッドレスト７０が取り付けられている。
【００１４】
５はスリットランプ本体１へ電力を供給するための電源ボックスであり、電源スイッチ７を備える。また、電源ボックス５には照明光の光量を調節するための調光用ノブ６、スリットランプのランプの断線を報知するＬＥＤ８が設けられている。
【００１５】
９は被検眼を観察するための顕微鏡部であり、その内部には観察光学系が配置されている。
【００１６】
１０は被検眼（患者眼）へ観察用の照明光を照射するための照明光学系が配置された照明部であり、その筐体１０ａの内部には、照明光源用の光源３０の他に各種光学部材が備わっている。２０はランプユニットであり、照明部１０の側面に設けられている。図３に示すようにこのランプユニット２０を取り外し、予備のランプユニット２０´と入れ替えることにより、照明部１０内に設置されている光源３０の交換をすることができる。
【００１７】
図２に示すように、照明光学系はハロゲンランプからなる光源３０、コンデンサレンズ５１、開口径可変のアパーチャ５２、スリット幅可変のスリット板５３、投影レンズ５４、プリズムミラー５５を備える。
【００１８】
光軸Ｌ上に置かれる光源３０より出射した可視光束は、コンデンサレンズ５１を透過した後、アパーチャ５２により高さを、スリット板５３により幅を決定され、スリット状の光束に形成される。スリット板５３を通過したスリット照明光は投影レンズ５４を介した後、プリズムミラー５５で反射されて被検者眼Ｅを照明する。
【００１９】
また、顕微鏡部９の内部には、左右の観察光路で共用される対物レンズ５６、左右の各光路に配置された変倍レンズ群５７、結像レンズ５８、正立プリズム５９、視野絞り６０、接眼レンズ６１を備える観察光学系が配置されている。
【００２０】
図４は照明光軸Ｌ上に配置されるランプユニット２０、及びランプユニット２０付近の照明光学系の構成を示す図である。４１は筐体１０ａ内部に固定保持されている筒状部材である。筒状部材４１の上部にはコンデンサレンズ５１を保持するホルダ４２が取り付けられている。また、筒状部材４１の下部には光源３０の電源供給するコネクタ４３が取り付けられている。
【００２１】
ランプユニット２０の構成について説明する。図４、５に示す様に、２１は筐体１０ａに取り付けられ眼科装置の外装を兼ねている支基であり、支基２１には軸２２が回転可能に取り付けられている。軸２２には、取っ手２３がピン２４を中心として回転可能に取り付けられている。また、支基２１は、取っ手２３の取り付け側とは反対の面に溝２１ｂが彫られている。回転板２５はピン２６を軸２２に打ち込むことにより取り付けられている。溝２１ｂ部分において回転板２５は軸２２の軸周りに回転可能であり、ランプユニット２０を筐体１０ａに脱着する際に、取っ手２３により回転板２５を回すことにより、ランプユニット２０への固定、解除が行われる。尚、筐体１０ａと支基２１の取り付けには、筐体１０ａの開口部内面１０ｂと支基２１の外周部２１ａが合うように固定される。
【００２２】
支基２１の外装とは反対の面２１ｃには、内部にソケット２９を保持した箱型のソケット支え２７がネジ２８により取付けられている。ソケット支え２７には開口部２７ａがあり、光源３０はこの開口部２７ａを通して、ソケット２９と接続されている。ソケット２９と支基２１の間には板バネ３１がネジ３２により取り付けられている。板バネ３１のバネ力により、ソケット２９は光源３０の取り付け面側に付勢されている。また、ソケット２９はソケット支え２７の中で隙間を設けて保持されており、配線３３によりコネクタ３４が繋がれている。コネクタ３４は支基２１に保持されており、ランプユニット２０を着脱する際には、筒状部材４１のガイド部４１ｃにより、コネクタ３４がコネクタ４３に導かれ、コネクタ３４とコネクタ４３の着脱はランプユニット２０の着脱動作によって行われる。
【００２３】
また、ランプユニット２０は予備の光源３０の取り付けられた、ランプユニット２０と構造が同じ予備のランプユニット２０´が用意されており、ランプ切れの際には即座に交換できるよう対応が考慮されている。
【００２４】
以上のような構成を備えるスリットランプにおいて、光源の交換について説明する。
【００２５】
観察中に光源３０が切れて照明光が消えてしまった場合、検者は、取っ手２３を上に持ち上げた状態で回転して、回転板２５の引っかかりを筐体１０ａから外す。回転板２５の引っかかりが外れることにより、取っ手２３を手前に引き、ランプユニット２０を取り出す。ランプユニット２０を引き出す際に、コネクタ３４がコネクタ４３から引き抜かれる。次に、検者は予備のランプユニット２０´を筐体１０ａに取り付け光源３０を交換する。
【００２６】
ランプユニット２０´を筐体１０ａに取り付ける際に、筒状部材４１のガイド部４１ｄにより、光源３０のフランジ部３０ａが筒状部材４１の内周部４１ｂに導かれ、光源３０を交換する際の照明光学系の光軸Ｌと光源３０との軸合わせは、筒状部材４１の端面４１ａ、内周部４１ｂに光源３０のフランジ部３０ａを合わせることによって行われる。ソケット２９とソケット支え２７の間に隙間があるため、ランプユニット２０を取り付ける際に光源３０と支基２１が相対的に移動し、無理なく光軸Ｌと光源３０との軸合わせが行われる。
【００２７】
また、ランプユニット２０´を筐体１０ａに取り付ける際に、コネクタ３４はガイド部４１ｃによりコネクタ４３に導かれ、ランプユニット２０´を筐体１０ａに押し付けると、コネクタ３４はコネクタ４３に差し込まれる。
【００２８】
このように装置の使用中に照明光が消えてしまっても、即座に切れた光源を新しい光源に取り換えることができ、観察を続けることができる。また、切れたばかりの照明光源は高温になっているが、光源３０の取替えを光源が冷めてから装置本体１の外部にて行うことができるため、高温な状態での交換に比べ安心して交換できる。更に、ランプユニット２０の光源３０を保護する保護カバー等を別個に設け、取り外したランプユニット２０を保護カバーに収納し、切れたばかりの高温になっている光源３０が周りの他の物、或いは人体に接触しないように保護してもよい。
【００２９】
また、本実施の形態ではスリットランプを例にとって説明したが、これに限るものではなく、照明光が必要な眼科装置に本発明を適用することができる。例えば、筐体内に視標等が形成されたチャート板に照明光を当てて視標を呈示する視標呈示装置、眼底を観察して撮影する眼底カメラなどにも用いることができる。
【００３０】
また、光源３０が切れて照明光が消えてしまった場合、電源ボックス５に設けられたＬＥＤ８が点灯し、術者に光源３０の断線を報知する。
【００３１】
図６を用いて、電源ボックス５内の概略回路を説明する。電源スイッチ７がＯＮになると、ＡＣ／ＤＣ変換器１１によりＡＣ電源がＤＣ電源に変えられ、調光用ノブ６により調節された照明光量になるように光量調節回路１２で電圧が調整され、光源３０が点灯する。光源３０の配線には電流センサ１３が設けられ、光源３０に流れる電流が発生する磁場によって検知される。電流センサ１３で検知された電圧値が増幅器１４で増幅され、増幅された検出電圧値と検出レベル設定値１５がコンパレータ１６で比較される。検出レベル設定値１５には光源３０に電流が流れない場合の電圧値が入力されている。
【００３２】
光源３０が切れて照明光が消えてしまった場合、コンパレータ１６で比較される検出電圧値と検出レベル設定値１５の値が等しくなり、コンパレータ１６の出力電流が流れてＬＥＤ８が点灯し、術者に報知する。
【００３３】
スリットランプでの患眼観察前には、実際に視度調整用の焦点ロッド等の対象物に光源からの照明光を当てて観察しないと光源３０が切れているかどうか術者は判別しにくかったが、ＬＥＤ８の点灯により光源３０の断線が検知できる。
【００３４】
尚、本実施の形態では報知手段としてＬＥＤ８を用いたが、これに限るものではなく、ランプやアラーム等による報知としてもよい。
【００３５】
【発明の効果】
以上のように、本発明によれば、装置の使用中に照明光源が切れた場合、検者や被検者に負担を掛けずに容易に新しい照明光源に取りかえることができ、また、光源の断線を検知できる。
【図面の簡単な説明】
【図１】スリットランプの外観側面を示した図である。
【図２】スリットランプの光学系を示す図である。
【図３】スリットランプを検者側から見たときのランプユニット２０周辺の外観を示す図である。
【図４】照明光軸Ｌ上に配置されるランプユニット付近の照明光学系の機構を示す図である。
【図５】ランプユニットの外装面を示す図である。
【図６】電源ボックス内の概略回路を示す図である。
【符号の説明】
１  スリットランプ本体
８  ＬＥＤ
１０  照明部
１０ａ  筐体
１３  電流センサ
１４  増幅器
１５  検出レベル設定値
１６  コンパレータ
２０  ランプユニット
２０´  ランプユニット
２１  支基
２２  軸
２３  取っ手
２７  ソケット支え
２９  ソケット
３０  光源
３３  配線
３４  コネクタ
４１  筒状部材
４１ｃ  ガイド部
４３  コネクタ
【図１】
2004350986.tif 000003
【図２】
2004350986.tif 000004
【図３】
2004350986.tif 000005
【図４】
2004350986.tif 000006
【図５】
2004350986.tif 000007
【図６】
2004350986.tif 000008